(57)【要約】【課題】本発明は、基板実装用インターフェースコネクタに関し、従来のインーフェースコネクタは、ねじロック式とラッチロック式とで別々に専用のコネクタを準備しなければならいので、部品点数の増加となり管理・製造コストも嵩むことが課題であって、それを解決することである。【解決手段】コネクタ用ハウジングと、該ハウジングに整列して並設される端子と、前記ハウジングに固定されるシェルと、相手側コネクタの雄ねじが螺合して接続され前記シェルの嵌合部を挟んで一対設けられる雌ねじと、から構成される基板実装用インターフェースコネクタにおいて、前記シェル４に前記雌ねじ４ｂが一体に形成されると共に、該雌ねじ４ｂの一部にラッチロック用の切欠き部４ｃが形成されている基板実装用インターフェースコネクタ１とするものである。【選択図】図１
2014089875.tif 000002
【特許請求の範囲】
【請求項１】
コネクタ用ハウジングと、該ハウジングに整列して並設される端子と、前記ハウジングに固定されるシェルと、相手側コネクタの雄ねじが螺合して接続され前記シェルの嵌合部を挟んで一対設けられる雌ねじと、から構成される基板実装用インターフェースコネクタにおいて、
前記シェルに前記雌ねじが一体に形成されると共に、該雌ねじの一部にラッチロック用の切欠き部が形成されていること、
を特徴とする基板実装用インターフェースコネクタ。
【請求項２】
切欠き部は、雌ねじの軸心に沿って雌ねじ部前後の途中または後方の半周壁を除き、雌ねじの内部を露出させて形成されていること、
を特徴とする基板実装用インターフェースコネクタ。
【請求項３】
シェルの下面には実装固定強度を増すための固定用ボスが一体に形成されるとともに、ハウジングの下面にはプリント基板にインターフェースコネクタを載置した際のガタつきを防止するガタ防止用ボスが一体に形成されていること、
を特徴とする請求項１または２に記載の基板実装用インターフェースコネクタ。
【発明の詳細な説明】
【技術分野】
【０００１】
本発明は、プリント基板に実装される基板実装用インターフェースコネクタとケーブル側のコネクタとの接続用ロック構造に関するものである。
【背景技術】
【０００２】
従来、プリント基板に実装される基板実装用インターフェースコネクタとしては、特許文献１に記載された様なコネクタが知られている。そして、前記インターフェースコネクタとこれに接続させる外部ケーブルのコネクタとの接続方法としては、図８乃至図９に示すように、ねじロック式のものとラッチロック式のものとが知られている。
【０００３】
前記ねじロック式は、図８（Ａ），（Ｂ）に示すように、基板実装用インターフェースコネクタ１１側に取付ねじ１３による雌ねじ部が設けられ、相手側の雄コネクタ（図示せず）側に雄ねじ部が設けられて、接続の時に雄ねじを回して前記インターフェースコネクタ１１側の雌ねじに螺合させるものである。図において、符号１４はコネクタの合成樹脂製ハウジング、１５は電気信号接続用のＬ字型に屈曲された端子、１６は金属製のシェル、１７は金属製のプリント基板用のロック金具をそれぞれ示している。前記取付ねじ１３は、ハウジング１４のねじ穴に螺合されて固定されるものである。前記ロック金具１７は、基板実装前のガタつきを防止し、実装後の強度確保用に備えられるものであって、ハウジング１４に圧入される。
【０００４】
一方、前記ラッチロック式は、図９（Ａ），（Ｂ）に示すように、実装基板用インターフェースコネクタ１２側に、ラッチロック用の取付ねじ１８が設けられている。この取付ねじ１８には、図９（Ｃ）に示すように、先端側に引掛り部１８ａが形成され、その後端側に細径部１８ｂが形成されている。相手側の雄コネクタのロック用爪部（図示せず）が前記引掛り部１８ａに係合して、爪部が細径部１８ｂに落ち込んでロックされ、先端側へ雄コネクタを引っ張っても抜け出さない構造となっている。前記取付ねじ１８は、ハウジング１４のねじ穴に螺合されて固定されるものである。
【先行技術文献】
【特許文献】
【０００５】
【特許文献１】特開平０９−９７６３６号公報
【発明の概要】
【発明が解決しようとする課題】
【０００６】
しかし、従来の基板実装用インターフェースコネクタにおけるロック構造においては、ねじロック式とラッチロック式との２種類のインターフェースコネクタを別々に用意しなければならない。よって、部品点数が増え製造・管理コストが嵩む。また、いずれの接続方法にしても取付ねじをコネクタのハウジングにねじ込んで固定する必要がある。また、ロック金具をコネクタハウジングに圧入して組み立てる必要があるので、手間が掛かる。
このように、従来のインターフェースコネクタにおいては、部品点数の数が増えると共に、組立に手間が掛かり、コストが嵩むことになるという課題がある。本発明に係る基板実装用インターフェースコネクタは、このような課題を解決するために提案されたものである。
【課題を解決するための手段】
【０００７】
本発明に係る基板実装用インターフェースコネクタの上記課題を解決して目的を達成するための要旨は、コネクタ用ハウジングと、該ハウジングに整列して並設される端子と、前記ハウジングに固定されるシェルと、相手側コネクタの雄ねじが螺合して接続され前記シェルの嵌合部を挟んで一対設けられる雌ねじと、から構成される基板実装用インターフェースコネクタにおいて、前記シェルに前記雌ねじが一体に形成されると共に、該雌ねじの一部にラッチロック用の切欠き部が形成されていることである。
【０００８】
また、前記切欠き部は、雌ねじの軸心に沿って雌ねじ前後の途中または後方の半周壁を除き、雌ねじ部の内部を露出させて形成されていることである。
【０００９】
更に、シェルの下面には実装固定強度を増すための固定用ボスが一体に形成されるとともに、ハウジングの下面にはプリント基板にインターフェースコネクタを載置した際のガタつきを防止するガタ防止用ボスが一体に形成されていることを含むものである。
【発明の効果】
【００１０】
本発明の基板実装用インターフェースコネクタによれば、コネクタのシェルに雌ねじ部を一体に設け、且つ、該雌ねじ部の途中または後方に切欠き部を設けたので、供用が可能となり部品点数が削減され管理費のコスト低減となり、組立工数の削減が可能になる。こうして、ねじロック方式とラッチロック方式とに供用して使用できる安価なインターフェースコネクタとなる。
【００１１】
更に、プリント基板に対する固定用のボスをシェルに設けると共に、ガタ防止用のボスをハウジングに一体に設けたので、インターフェースコネクタは、実装前のガタつきが確実に防止されるようになり、プリント基板に実装後は固定強度を確保できるようになる、と言う優れた効果を奏するものである。
【図面の簡単な説明】
【００１２】
【図１】本発明に係る基板実装用インターフェースコネクタ１の前方上から見た斜視図（Ａ），後方上から見た斜視図（Ｂ），下前方から見た斜視図（Ｃ）である。
【図２−Ａ】同本発明の基板実装用インターフェースコネクタ１の、平面図（Ａ），正面図（Ｂ），側面図（Ｃ），底面図（Ｄ），側面図（Ｅ），背面図（Ｆ）である。
【図２−Ｂ】インターフェースコネクタ１におけるシェル４の、前方上から見た斜視図（Ａ），後方上から見た斜視図（Ｂ），平面図（Ｃ），正面図（Ｄ），側面図（Ｅ），底面図（Ｆ），正面図におけるＸ−Ｘ線に沿った断面図（Ｇ），平面図におけるＹ−Ｙ線に沿った断面図（Ｈ）である。
【図２−Ｃ】インターフェースコネクタ１におけるハウジング２の、前方上から見た斜視図（Ａ），後方上から見た斜視図（Ｂ），平面図（Ｃ），平面図におけるＸ−Ｘ線に沿った断面図（Ｄ）である。
【図２−Ｄ】インターフェースコネクタ１におけるシャル４の切欠き部４ｃの位置を示す、途中の場合の横断面図（Ａ）、後方の場合の横断面図（Ｂ）である。
【図３】図２−Ａ（Ｂ）におけるＸ−Ｘ線に沿った断面図である。
【図４】本発明に係る基板実装用インターフェースコネクタ１に、ねじロックタイプのコネクタとの嵌合状態を示す、上後方からの斜視図（Ａ），下前方からの斜視図（Ｂ）である。
【図５】本発明に係る基板実装用インターフェースコネクタ１に、ラッチロックタイプのコネクタとの嵌合状態を示す、上後方からの斜視図（Ａ），下前方からの斜視図（Ｂ）である。
【図６】本発明に係る基板実装用インターフェースコネクタ１に、パネル取付用突起を２カ所に設けた場合のインターフェースコネクタ８の、斜視図（Ａ），（Ｂ）と、正面図（Ｃ），パネルに取り付けた状態の側面図（Ｄ）である。
【図７】本発明に係る基板実装用インターフェースコネクタ１に、パネル取付用突起を１カ所に設けた場合のインターフェースコネクタ９の、斜視図（Ａ），（Ｂ）と、正面図（Ｃ），パネルに取り付けた状態の側面図（Ｄ）である。
【図８】従来例に係るねじロックタイプのインターフェースコネクタ１１の上から見た斜視図（Ａ），下から見た斜視図（Ｂ），平面図（Ｃ）である。
【図９】従来例に係るラッチロックタイプのインターフェースコネクタ１２の上から見た斜視図（Ａ），下から見た斜視図（Ｂ），平面図（Ｃ）である。
【発明を実施するための形態】
【００１３】
本発明に係る基板実装用インターフェースコネクタ１は、図１に示すように、シェルにおける雌ねじ部に、ラッチロック用の切欠き部を設けて、ねじロック式とラッチロック式とに供用されるものである。
【実施例１】
【００１４】
前記基板実装用インターフェースコネクタ１は、図１（Ａ），（Ｂ）と図２−Ａとに示すように、コネクタ用ハウジング２と、該ハウジング２に整列して並設される端子３と、前記ハウジング２に固定されるシェル４と、相手側コネクタの雄ねじが螺合して接続され前記シェル４の嵌合部４ａを挟んで一対設けられる雌ねじ４ｂとから構成される。
【００１５】
前記ハウジング２とシェル４との形状は、図２−Ｂ，図２−Ｃの記載による。まず、シェル４は、前記雌ねじ４ｂが一体に形成されると共に、該雌ねじ４ｂの一部にラッチロック用の切欠き部４ｃが形成されている。該切欠き部４ｃは、雌ねじ４ｂの軸心ａ（図２−Ｂ（Ｇ）参照）に沿って雌ねじ４ｂ前後の途中において（図２−Ｄ（Ａ）参照）、または、後方において（図２−Ｄ（Ｂ）参照）、その範囲の半周壁を除き、雌ねじ４ｂの内部を露出させて形成されている。
【００１６】
図２−Ｂに示すように、前記シェル４は、全体が金属製であり、たとえば、アルミダイキャスト製である。前記雌ねじ４ｂは前後方向で見ると全周が円形でねじ部が刻設されている。しかし、雌ネジ４ｂの前後方向の途中または後方で、図２−Ｂ（Ｇ）に示すように、シェル４の中心部から左右方向で外側の半周壁が切除された状態になっており、内側の半周壁４ｅが露出している。
【００１７】
こうして、切欠き部４ｃが形成され、接続する相手側のコネクタの雄ネジが、前記雌ネジ４ｂに螺合されるとともに、前記切欠き部４ｃにラッチロックが係合するものである。こうして、ねじロック式とラッチロック式とに供用できるシェル４となる。
【００１８】
図２−Ｂ（Ｄ），（Ｈ）に示すように、シェル４の下面に固定用ボス４ｄが一体に設けられている。更に、図３に示すように、シェル４の後方の中央部内側には、ハウジング２との組立において、ハウジング２を嵌合後に係止する係止爪４ｆが設けられている。
【００１９】
前記ハウジング２は、図２−Ｃ（Ａ）〜（Ｄ）に示すように、全体が合成樹脂製であり、圧入された端子３を整列させ相手側コネクタの端子に接続させる整列板２ａがあり、プリント基板に実装した際のガタつきを防止する、ガタ防止用ボス２ｂが一体に設けられ、前記シェル４との嵌合・組立時に係合される係止突起２ｃが設けられている。
【００２０】
以上のような構成でハウジング２とシェル４とが組み立てられて成るインターフェースコネクタ１は、プリント基板に実装された後に、図４または図５に示すように、ケーブル６付きの相手側コネクタ５，７とねじロック式若しくはラッチロック式により接続されるのである。
【００２１】
インターフェースコネクタ１をプリント基板に実装する際には、半田などで固定する前の状態では、ハウジング２のガタ防止用ボス２ｂによって、インターフェースコネクタ１がガタ付く事無く安定してプリント基板上に載置され、半田付け後にシェル４の固定用ボス４ｄにより強度が確保される。
【００２２】
前記相手側コネクタ５には、その左右方向の両端に固定ねじ５ａが設けられている。この固定ねじ５は、前後方向にある範囲で移動できるようにコネクタ５のハウジングに遊嵌されている。そして、接続時に、固定ねじ５の先端のねじ部５ｂを、インターフェースコネクタ１の雌ねじ４ｂに螺合させるものである。これによって、しっかりとインターフェースコネクタ１と相手側コネクタ５とが接続される。
【００２３】
また、図５は、ラッチロック式により接続される場合を示すものであり、相手側コネクタ７には、左右猟端部にラッチ用の係合片が設けられており、インターフェースコネクタ１との接続嵌合作用により、インターフェースコネクタ１の切欠き部４ｃに相手側コネクタ７の係合片が係合して嵌合される。このように、本発明に係るインターフェースコネクタ１により、ねじロック式またはラッチロック式の相手側コネクタ５，７に兼用して使用できるものとなる。
【実施例２】
【００２４】
図６（Ａ）〜（Ｃ）に示すように、このインターフェースコネクタ８は、図６（Ｄ）に示すパネル１０に対する取付用突起８ａを、シェル４の上面で２カ所に設けたものである。他の構造は前記インターフェースコネクタ１と同じであるので、説明を省略する。ビス１０ａによって、パネル１０の固定用穴に装着して固定するものである。
【実施例３】
【００２５】
図７（Ａ）〜（Ｃ）に示すように、インターフェースコネクタ９は、シェル４の上面で１カ所に取付用穴９ａを設けたものである。他の構造はインターフェースコネクタ１と同じなので説明を省略する。第２実施例と同様に、ビス１０ａによって、パネル１０の固定用穴に装着して固定するものである。
【産業上の利用可能性】
【００２６】
本発明に係るインターフェースコネクタ１，８，９は、ねじロック式とラッチロック式とに供用させるものに広く応用できるものである。また、基板実装用に限らずその他のインターフェースコネクタとして使用できるものである。
【符号の説明】
【００２７】
１          インターフェースコネクタ、
２          ハウジング、                    ２ａ        整列板、
２ｂ        ガタ防止用ボス、                ２ｃ        係止突起、        
３          端子、
４          シェル、                        ４ａ        嵌合部、
４ｂ        雌ねじ、                        ４ｃ        切欠き部、
４ｄ        固定用ボス、                    ４ｅ        半周壁、
４ｆ        係止爪、
５          相手側コネクタ、                ５ａ        固定ねじ、
５ｂ        ねじ部、
６          ケーブル、
７          コネクタ、
８          第２実施例のインターフェースコネクタ、
８ａ        取付用突起、
９          第３実施例のインターフェースコネクタ、
９ａ        取付用突起、
１０        パネル、                        １０ａ      ビス、
１１        インターフェースコネクタ、
１２        インターフェースコネクタ
１３        取付ねじ、
１４        ハウジング、
１５        端子、
１６        シェル、
１７        ロック金具、
１８        取付ねじ、                       １８ａ        引掛り部、
１８ｂ      細径部。
【図１】
2014089875.tif 000003
【図２−Ａ】
2014089875.tif 000004
【図２−Ｂ】
2014089875.tif 000005
【図２−Ｃ】
2014089875.tif 000006
【図２−Ｄ】
2014089875.tif 000007
【図３】
2014089875.tif 000008
【図４】
2014089875.tif 000009
【図５】
2014089875.tif 000010
【図６】
2014089875.tif 000011
【図７】
2014089875.tif 000012
【図８】
2014089875.tif 000013
【図９】
2014089875.tif 000014